(57)【特許請求の範囲】
【請求項１】
アクセルペダルと、
前記アクセルペダル前部下に配置され、粘性液体を封入したシリンダーと、
前記シリンダー内において前記シリンダーの軸方向に往復移動自由に挿入され、自身に前記シリンダーの軸方向に貫通する孔である液体流通口が設けられたピストンと、
前記ピストン下端面を回動制限のストッパーとして、前記ピストン下端中央付近においてピンを用いたヒンジにより回動自由に支持され、自身が回動して前記ピストン下端面側から前記液体流通口に当接することにより前記液体流通口を閉じる逆止弁と、
前記逆止弁の先端付近に取り付けられ、前記アクセルペダルを通じて加えられた力により前記ピストンが下方へ移動する際に、前記逆止弁に前記粘性液体から所定の抵抗が加えられるまでは自身の重さにより前記逆止弁が前記液体流通口を閉じないように前記逆止弁を下方へ回動させる重さを有する分銅と、
一端が前記ピストンに連結され、他端が前記アクセルペダルと相対回動自在に連結され、前記アクセルペダルの動作に応じて前記ピストンを前記シリンダーの軸方向に往復移動させるシリンダーロッドと、
前記シリンダーの上部から下部へバイパスする流路であるバイパスパイプと、
外部からの操作に応じて前記バイパスパイプの流路の開閉を行うリモートコントロール式開閉弁と
を備え、
前記逆止弁は、前記粘性液体から所定以上の抵抗が加えられると前記液体流通口を閉じて前記ピストン上下間の前記粘性液体の流れを遮断することにより、前記ピストンの往復移動を制限し、
前記逆止弁により前記液体流通口が閉じられて前記ピストンの移動が制限された場合に、前記リモートコントロール式開閉弁を開き、前記バイパスパイプを通じて前記ピストン上下間を前記粘性液体が移動自由になることにより前記ピストンの往復移動を可能とすることを特徴とする自動車のアクセル装置。
【請求項２】
前記リモートコントロール式開閉弁における外部からの操作を受け付けるスイッチ又はレバーをハンドル直近に設置したことを特徴とする請求項１に記載の自動車のアクセル装置。
【発明の詳細な説明】
【技術分野】
【０００１】
本発明は、自動車のアクセル装置に関するものであり、特に、通常は、急激には踏み込めない機構にしたアクセル装置に関する。
【背景技術】
【０００２】
自動車の駆動力は、ミッションを介して、アクセルペダルの踏み込み量と速さに対応して発生する構造になっている。
【発明の概要】
【発明が解決しようとする課題】
【０００３】
昨今、自動車の運転ミスといわれる事故のなかに、立体駐車場でのくるま止めを突き破っての落下や、コンビニなどへの突入などが、ブレーキとアクセルの踏み間違いと、多く報道されているが、これらの事故のなかには、ギアの選択間違いや、オートマチックミッション化で、ボンネット型自動車に多く見られる、ブレーキ踏面の横幅拡張で、アクセルペダルとの距離が近くなったため、緊急時のブレーキングでアクセルペダルまでも踏み込んでしまうケース等も考えられる。
本来アクセルペダルは、強く踏み込めば一気にストロークエンドまで踏み込める機構になっているため、これを急激には踏み込めない構造にすることを課題とする。
【課題を解決するための手段】
【０００４】
本発明は、上記課題を解決するためになされたものであり、本発明の自動車のアクセル装置は、アクセルペダルと、上記アクセルペダル前部下に配置され、粘性液体を封入したシリンダーと、上記シリンダー内において上記シリンダーの軸方向に往復移動自由に挿入され、自身に上記シリンダーの軸方向に貫通する孔である液体流通口が設けられたピストンと、上記ピストン下端面を回動制限のストッパーとして、上記ピストン下端中央付近においてピンを用いたヒンジにより回動自由に支持され、自身が回動して上記ピストン下端面側から上記液体流通口に当接することにより上記液体流通口を閉じる逆止弁と、上記逆止弁の先端付近に取り付けられ、上記アクセルペダルを通じて加えられた力により上記ピストンが下方へ移動する際に、上記逆止弁に上記粘性液体から所定の抵抗が加えられるまでは自身の重さにより上記逆止弁が上記液体流通口を閉じないように上記逆止弁を下方へ回動させる重さを有する分銅と、一端が上記ピストンに連結され、他端が上記アクセルペダルと相対回動自在に連結され、上記アクセルペダルの動作に応じて上記ピストンを上記シリンダーの軸方向に往復移動させるシリンダーロッドと、上記シリンダーの上部から下部へバイパスする流路であるバイパスパイプと、外部からの操作に応じて上記バイパスパイプの流路の開閉を行うリモートコントロール式開閉弁とを備え、上記逆止弁は、上記粘性液体から所定以上の抵抗が加えられると上記液体流通口を閉じて上記ピストン上下間の上記粘性液体の流れを遮断することにより、上記ピストンの往復移動を制限し、上記逆止弁により上記液体流通口が閉じられて上記ピストンの移動が制限された場合に、上記リモートコントロール式開閉弁を開き、上記バイパスパイプを通じて上記ピストン上下間を上記粘性液体が移動自由になることにより上記ピストンの往復移動を可能とすることを特徴とする。また、本発明の自動車のアクセル装置において、上記リモートコントロール式開閉弁における外部からの操作を受け付けるスイッチ又はレバーをハンドル直近に設置したことを特徴とする。
【発明の効果】
【０００５】
本発明によりブレーキとアクセルの踏み間違い、発進時の前進ギアとバックギアの選択ミス、緊急時のブレーキングでのアクセルとブレーキの同時踏み込みなどが発生しても、アクセルが踏み込めなく高出力が出ないため、事故低減が期待できる。
【図面の簡単な説明】
【０００６】
【図１】自動車に取り付けたシリンダーの断面と、機能部品
【発明を実施するための形態】
【０００７】
アクセルペダル１の前部下に設置されて、急激な踏み込みを物理的に阻止するための本装置は、一般にシリンダーと呼ばれている機器に、ある粘度をもった液体を封入した構造になっている。この装置を図１をもとに説明すると、シリンダー２の上部流通口８と下部流通口１１は、流路としてのバイパスパイプ９で繋がり、バイパスパイプ９はリモートコントロール式の開閉弁１０を備えている。
【０００８】
ピストン１３は、図１から明らかなように、シリンダー２内においてシリンダー２の軸方向に往復移動自由に挿入されている。ピストン１３には、シリンダー２内を移動するための液体流通口１２と、その液体流通口１２をピストン１３の下端面で開閉する、逆止弁２３が設けられている。液体流通口１２は、図１から明らかなように、シリンダー２の軸方向にピストン１３を貫通する孔である。また、シリンダーロッド３は、図１から明らかなように、一端がピストン１３上端面中央付近でピストン１３と連結されている。また、シリンダーロッド３は、図１から明らかなように、他端が１山クレビス５及び２山クレビス６、並びにピン４を介してアクセルペダル１と相対回動自在に連結されている。シリンダーロッド３は、図１から明らかなように、アクセルペダル１に加えられた動作に応じてピストン１３をシリンダー２の軸方向に往復移動させる。
【０００９】
逆止弁２３は先端部に分銅１４を備えている。逆止弁２３は、図１から明らかなように、ピストン１３の下端中央付近にあるシリンダーロッド３の先端においてピン２１を用いたヒンジにより回動自由に支持されている。ピストン１３の下端面が逆止弁２３の回動を制限するストッパー１５となっている。逆止弁２３を回動させて液体流通口１２付近のピストン１３の下端面に当接させると、図１から明らかなように、液体流通口１２は閉じられる。
【００１０】
シリンダーロッド３に加えられる力が、通常の範囲内、すなわち、ある所定の範囲内であれば、逆止弁２３は、液体流通口１２を閉じないように重量調整されているため、粘性液体は液体流通口１２を通って逃げることができ、ピストン１３は下へ移動出来る。すなわち、アクセルペダル１を介してシリンダーロッド３に加えられる力でピストン１３が下へ移動する際に、逆止弁２３が粘性液体から所定の抵抗を受けるまでは、逆止弁２３は分銅１４の重さにより抵抗に打ち勝ち、液体流通口１２を閉じず、下方へ開いた状態である。このため、ピストン１３は下へ移動できる。一方、アクセルペダル１が、急激に強く踏み込まれると、液体は粘性のため、瞬時には液体流通口１２を通れず、結果としてピストン１３の逆止弁２３が液体流通口１２を自動的に閉じ、アクセルペダル１は、踏み込めなくなる。すなわち、アクセルペダル１を介してシリンダーロッド３に加えられる力でピストン１３が下へ移動する際に、逆止弁２３が粘性液体から所定以上の抵抗を受けると、その抵抗が分銅１４の重さに打ち勝ち、逆止弁２３は液体流通口１２を閉じる方向に回動してピストン１３の下端面に当接させられ、液体流通口１２を閉じる。このため、粘性液体は液体流通口１２を通って逃げることができないため、ピストン１３の移動が制限され、アクセルペダル１は、踏み込めなくなる。
【００１１】
なお、シリンダー２底部には圧縮コイルバネ２２が設置され、アクセルペダル１の開放時は、ピストン１３は上昇限に戻る。
【００１２】
自動車運転中は、追い越し時加速や、坂路登坂時増力など、いろいろな場面で、アクセルペダル１を強く踏み込むことが要求される。この場合、バイパスパイプ９に取付けられたリモートコントロール式開閉弁１０を開いて、封入された粘性液体をバイパスパイプ９を通じて移動可能とさせ、粘性液体の動きを自由にし、一時的に、急激には踏み込めない機構を停止する。これにより、アクセルペダル１を自由に踏み込めるようにする。
【００１３】
このリモートコントロール式開閉弁１０の開閉は、スイッチ又はレバーを通じて外部からの操作を受け付けて行う。このリモートコントロール式開閉弁１０のスイッチ又はレバーは、ワイパースイッチ等と同様にハンドルの直近に設置されていて必要時に瞬時に対応できるようになっている。
【００１４】
機能停止中は運転者の前面に設置された警告灯が点灯し、併せて警告音も発して機能復元を促す構造になっている。
【００１５】
急激には踏み込めない機能を停止する装置のスイッチやレバーは、ハンドルの直近に置き機能を停止していることを光や音などで警告し機能の復元忘れを防止する。
【産業上の利用可能性】
【００１６】
今車社会、高年齢化と云われている中で実用化されれば大きな効果が望める。
【符号の説明】
【００１７】
１  自動車のアクセルペダル
２  粘性のある液体を封入したシリンダー
３  シリンダーロッド
４  アクセルペダルとシリンダーロッドを繋ぐピン
５  シリンダーロッド先端の１山クレビス
６  アクセルペダルの２山クレビス
７  シリンダーロッド上昇限ストッパー
８  シリンダー内の液体を流通させる上部流通口
９  シリンダー内の液体を流通させるバイパスパイプ
１０  リモートコントロール式開閉弁
１１  シリンダー内の液体を流通させる下部流通口
１２  ピストンに設けられた液体流通口
１３  ピストン
１４  逆止弁の分銅
１５  逆止弁無負荷時に発生する開き量のストッパー
１６  ピストン下降限ストッパー
１７  ピストン下降限ストッパー
１８  シリンダーの１山クレビス
１９  自動車本体の２山クレビス
２０  自動車本体の２山クレビスとシリンダーの１山クレビスを繋ぐピン
２１  シリンダーロッドに取り付けた逆止弁のピン
２２  シリンダー内のピストン下部に設置された圧縮コイルスプリング
２３  逆止弁
【要約】
【課題】    自動車運転中、減速から停車への移行時や、発進時に多く見られる事象で、
アクセルとブレーキの踏み間違い、ギァの選択ミスなどで、立体駐車場の車止めを破っての落下や、コンビニエンスストアへの突入などが報告されている。
これらの事故は、急激なアクセルの踏み込みで発生しているとの調査結果から、急激な踏み込みの出来ないアクセルペダルの構造機構がまたれていた。
【解決手段】  アクセルペダル１の下に、ある粘度を持った液体を封入したシリンダー２を設置する。
アクセルペダル１を踏み込むと、ピストン１３が下がる構造になっている。
ピストン１３の下側には、通常の力で押された場合は閉じない様、分銅１４で重量調整された逆止弁２３を取り付ける。
ピストン１３が急激に強い力で押されると、液体の粘性のため逆止弁２３が閉じてピストン１３が止まるため、アクセルペダル１は踏み込めなくなる。
【選択図】図１【図１】
0005473102.tif 000002